(57)【特許請求の範囲】
【請求項１】
第１アイコンを表示する表示部と、
前記第１アイコンに対する第１接触操作、前記第１接触操作と異なる第２接触操作、又は第３接触操作を検出する検出部と、
前記第１接触操作、前記第２接触操作及び前記第３接触操作のうちいずれかの検出に応答して、前記第１アイコンに対応付けられているウィンドウを前記表示部に表示させる制御部と
を備え、
前記第２接触操作は、前記第１アイコンを始点として被検出物が前記表示部上を第１方向に移動することを含み、
前記第３接触操作は、前記第１接触操作及び前記第２接触操作と異なり、前記第１アイコンを始点として前記被検出物が前記表示部上を第２方向に移動することを含み、
前記第２方向は、前記第１方向と異なり、
前記ウィンドウは、記号を含み、
前記第１アイコンは、複数の領域を有し、
前記複数の領域には、それぞれ、互いに異なるサイズ情報が対応付けられており、
前記サイズ情報は、前記記号のサイズを示し、
前記制御部は、
前記第２接触操作の検出に応答して表示される前記ウィンドウのサイズが、前記第１接触操作の検出に応答して表示される前記ウィンドウのサイズより大きくなるように、前記表示部を制御し、
前記第３接触操作の検出に応答して表示される前記ウィンドウのサイズが、前記第１接触操作の検出に応答して表示される前記ウィンドウのサイズより小さくなるように、前記表示部を制御し、
前記複数の領域のうち、前記第２接触操作の開始位置を含む領域に対応付けられている前記サイズ情報に基づいて、前記記号のサイズを決定する、表示装置。
【請求項２】
前記複数の領域は、第１領域と第２領域とを含み、
前記第１領域に対応付けられた前記サイズ情報が示すサイズは、前記第１接触操作の検出に応答して表示される前記ウィンドウに含まれる前記記号のサイズより小さく、
前記第２領域に対応付けられた前記サイズ情報が示すサイズは、前記第１接触操作の検出に応答して表示される前記ウィンドウに含まれる前記記号のサイズより大きい、請求項１に記載の表示装置。
【請求項３】
前記第１アイコンには、アプリケーションソフトウェアが対応付けられており、
前記アプリケーションソフトウェアには、前記ウィンドウのサイズ情報が対応付けられており、
前記制御部は、前記第１接触操作の検出に応答して、前記アプリケーションソフトウェアに対応する前記ウィンドウのサイズを前記サイズ情報に基づいて決定する、請求項１または請求項２に記載の表示装置。
【請求項４】
前記第１アイコンには、フォルダが対応付けられており、
前記フォルダには、少なくとも１つの第２アイコンが対応づけられており、
前記制御部は、前記第１接触操作の検出に応答して、前記フォルダに対応する前記ウィンドウのサイズを前記少なくとも１つの第２アイコンの数に基づいて決定する、請求項１から請求項３のいずれか１項に記載の表示装置。
【請求項５】
表示部を備える表示装置が実行する表示方法であって、
第１アイコンを表示する手順と、
前記第１アイコンに対する第１接触操作、前記第１接触操作と異なる第２接触操作、又は第３接触操作を検出する手順と、
前記第１接触操作、前記第２接触操作及び前記第３接触操作のうちのいずれかの検出に応答して、前記第１アイコンに対応付けられているウィンドウを前記表示部に表示させる手順と
を含み、
前記第２接触操作は、前記第１アイコンを始点として被検出物が前記表示部上を第１方向に移動することを含み、
前記第３接触操作は、前記第１接触操作及び前記第２接触操作と異なり、前記第１アイコンを始点として前記被検出物が前記表示部上を第２方向に移動することを含み、
前記第２方向は、前記第１方向と異なり、
前記ウィンドウは、記号を含み、
前記第１アイコンは、複数の領域を有し、
前記複数の領域には、それぞれ、互いに異なるサイズ情報が対応付けられており、
前記サイズ情報は、前記記号のサイズを示し、
前記第２接触操作の検出に応答して表示される前記ウィンドウのサイズが、前記第１接触操作の検出に応答して表示される前記ウィンドウのサイズより大きく、
前記第３接触操作の検出に応答して表示される前記ウィンドウのサイズが、前記第１接触操作の検出に応答して表示される前記ウィンドウのサイズより小さく、
前記表示方法は、前記複数の領域のうち、前記第２接触操作の開始位置を含む領域に対応付けられている前記サイズ情報に基づいて、前記記号のサイズを決定する手順をさらに含む、表示方法。
【発明の詳細な説明】
【技術分野】
【０００１】
本発明は、表示装置及び表示方法に関する。
【背景技術】
【０００２】
特許文献１に記載のウィンドウ表示制御装置は、表示画面上のデータであるウィンドウ内の任意の位置にマウスカーソルを合わせると、そのオブジェクトをサイズ変更対象として特定する。そして、マウスの左ボタン／右ボタンが押し続けられている継続操作の間、特定されたオブジェクトのサイズを、その継続操作時間と共に徐々に拡大あるいは縮小変更させるサイズ変更処理が行われる。
【先行技術文献】
【特許文献】
【０００３】
【特許文献１】特開２０００−２９３２８７号公報
【発明の概要】
【発明が解決しようとする課題】
【０００４】
しかしながら、特許文献１に記載のウィンドウ表示制御装置では、オブジェクトが表示画面上に表示された後に、オブジェクトのサイズを変更する必要があり、ユーザーにとって煩わしい。
【０００５】
本発明は、上記課題に鑑みてなされたものであり、表示部にウィンドウを表示させるときのユーザーの負担を軽減できる表示装置及び表示方法を提供することを目的としている。
【課題を解決するための手段】
【０００６】
本発明の第１の観点によれば、表示装置は、表示部と、検出部と、制御部とを備える。表示部は、第１アイコンを表示する。検出部は、前記第１アイコンに対する第１接触操作又は前記第１接触操作と異なる第２接触操作を検出する。制御部は、前記第１接触操作及び前記第２接触操作のうちいずれかの検出に応答して、前記第１アイコンに対応付けられているウィンドウを前記表示部に表示させる。前記第２接触操作の検出に応答して表示される前記ウィンドウのサイズが、前記第１接触操作の検出に応答して表示される前記ウィンドウのサイズと異なるように、前記制御部は前記表示部を制御する。
【０００７】
本発明の第２の観点によれば、表示方法は、表示部を備える表示装置に実行される。表示方法は、第１アイコンを表示する手順と、前記第１アイコンに対する第１接触操作又は前記第１接触操作と異なる第２接触操作を検出する手順と、前記第１接触操作及び前記第２接触操作のうちのいずれかの検出に応答して、前記第１アイコンに対応付けられているウィンドウを前記表示部に表示させる手順とを含む。前記第２接触操作の検出に応答して表示されるときの前記ウィンドウのサイズが、前記第１接触操作の検出に応答して表示されるときの前記ウィンドウのサイズと異なる。
【発明の効果】
【０００８】
本発明によれば、表示部にウィンドウを表示させるときのユーザーの負担を軽減できる。
【図面の簡単な説明】
【０００９】
【図１】本発明の実施形態に係る表示装置を示す図である。
【図２】（ａ）〜（ｃ）本発明の実施形態に係る表示装置が実行する第１のウィンドウ表示制御を示す図である。
【図３】発明の実施形態に係る表示装置が実行する第１のウィンドウ表示方法を示すフローチャートである。
【図４】（ａ）〜（ｃ）本発明の実施形態に係る表示装置が実行する第２のウィンドウ表示制御を示す図である。
【図５】（ａ）〜（ｃ）本発明の実施形態に係る表示装置が実行する第３のウィンドウ表示制御を示す図である。
【図６】発明の実施形態に係る表示装置の表示部が表示する第１の設定画面を示す図である。
【図７】発明の実施形態に係る表示装置の表示部が表示する第２の設定画面を示す図である。
【発明を実施するための形態】
【００１０】
以下、本発明の実施形態について、図面を参照しながら説明する。なお、図中、同一または相当部分については同一の参照符号を付して説明を繰り返さない。
【００１１】
図１及び図２を参照して、本発明の実施形態に係る表示装置１について説明する。図１は、表示装置１を示す。図２（ａ）〜図２（ｃ）は、表示装置１が実行するウィンドウ表示制御を示す。図１に示すように、表示装置１は、制御部１０と、表示部２０と、検出部としてのタッチパネル３０とを備える。図２（ａ）に示すように、表示部２０は、第１アイコン２１を表示する。第１アイコン２１には、ウィンドウ２２が対応付けられている。
【００１２】
タッチパネル３０は、第１アイコン２１に対する第１接触操作Ａ１、又は第１アイコン２１に対する第２接触操作Ａ２を検出する。第２接触操作Ａ２は、第１接触操作Ａ１と異なる。制御部１０は、第１接触操作Ａ１及び第２接触操作Ａ２のうちいずれかの検出に応答して、ウィンドウ２２を表示部２０に表示させる。第２接触操作Ａ２の検出に応答して表示されるウィンドウ２２のサイズが、第１接触操作Ａ１の検出に応答して表示されるウィンドウ２２のサイズと異なるように、制御部１０は表示部２０を制御する。
【００１３】
具体的には、制御部１０は、第１接触操作Ａ１の検出に応答して、図２（ａ）に示すウィンドウ２２を表示し、第２接触操作Ａ２の検出に応答して、図２（ｂ）に示すウィンドウ２２を表示する。図２（ａ）に示すウィンドウ２２のサイズは、図２（ｂ）に示すウィンドウ２２のサイズと異なっている。
【００１４】
以上、図１及び図２を参照して説明したように、本実施形態によれば、第２接触操作Ａ２の検出に応答して表示されるウィンドウ２２のサイズが、第１接触操作Ａ１の検出に応答して表示されるウィンドウ２２のサイズと異なるように表示部２０が制御される。従って、表示装置１のユーザーは、ウィンドウ２２のサイズを設定しつつウィンドウを表示部２０に表示させることができる。その結果、ウィンドウ２２を表示部２０に表示させるときのユーザーの負担を軽減できる。以下、図１〜図７を参照して、表示装置１の詳細について説明する。
【００１５】
まず、図１及び図２を参照して、表示装置１が実行する第１のウィンドウ表示制御について説明する。制御部１０は、例えば、ＣＰＵ（Ｃｅｎｔｒａｌ  Ｐｒｏｃｅｓｓｉｎｇ  Ｕｎｉｔ）、メモリー及びコンピュータープログラムで構成される。制御部１０は、メモリーに格納されたコンピュータープログラムを実行することにより、表示部２０、タッチパネル３０を制御する。表示部２０は、例えば、液晶ディスプレーである。Ｘ軸は表示部２０の長辺と平行である。Ｙ軸は表示部２０の短辺と平行である。以下、本明細書において、表示部２０上を移動する被検出物の移動量は、移動ベクトルのＹ成分である。
【００１６】
第１アイコン２１には、例えば、フォルダ又はアプリケーションソフトウェアが対応付けられている。本実施形態において、第１アイコン２１には、フォルダが対応づけられている。フォルダには、少なくとも１つの第２アイコン２２０が対応づけられている。本実施形態において、第１アイコン２１に対応づけられているフォルダの名称は、「カレンダー」である。フォルダの名称が「カレンダー」であるフォルダには、６個の第２アイコン２２０が対応づけられている。
【００１７】
第１アイコン２１に対する第１接触操作Ａ１は、被検出物が第１アイコン２１を接触して第１アイコン２１から離間することを含む。以下、本明細書において、被検出物が第１アイコン２１を接触することは、表示部２０上のうち第１アイコン２１に対応する領域を被検出物が接触することを示す。また、被検出物が第１アイコン２１から離間することは、表示部２０上のうち第１アイコン２１に対応する領域を接触している被検出物が、表示部２０上から離間することである。被検出物は、例えば、表示装置１のユーザーの指又はタッチペンである。第１接触操作Ａ１では、被検出物が第１アイコン２１を接触して離間するまでの被検出物の表示部２０上での移動量は、閾値以下である。ユーザーは、任意に閾値を設定できる。第１接触操作Ａ１は、例えばタップ操作である。
【００１８】
制御部１０は、第１アイコン２１に対する第１接触操作Ａ１に応答して、図２（ａ）に示すウィンドウ２２を表示部２０に表示させる。以下、第１接触操作Ａ１の検出に応答して表示されるウィンドウ２２をウィンドウ２２Ａと記載する場合がある。ウィンドウ２２Ａのサイズは、予め定められた規定のサイズである。ここで、ウィンドウ２２のサイズは、例えば、ウィンドウ２２の面積、ウィンドウ２２の対角線の長さ、又はウィンドウ２２のピクセル数である。表示部２０は、フォルダの名称が「カレンダー」であるフォルダに対応付けられている６個の第２アイコン２２０のうち、５個の第２アイコン２２０が含まれるようにウィンドウ２２Ａを表示している。
【００１９】
第１アイコン２１に対する第２接触操作Ａ２は、被検出物が第１アイコン２１を接触して第１アイコン２１から離間すること、及び第１アイコン２１を始点として被検出物が表示部２０上を第１方向に移動することを含む。本実施形態において、第１方向は、Ｙ軸の正方向である。第２接触操作Ａ２の開始位置Ｐ１は、表示部２０上のうち第１アイコン２１に対応する領域内に位置する。本明細書において、第２接触操作Ａ２の開始位置Ｐ１は、始点と記載する場合もある。第２接触操作Ａ２は、例えば、フリック操作、スライド操作、スクロール操作、又はスワイプ操作である。
【００２０】
制御部１０は、第１アイコン２１に対する第２接触操作Ａ２に応答して、図２（ｂ）に示すウィンドウ２２を表示部２０に表示させる。以下、第２接触操作Ａ２の検出に応答して表示されるウィンドウ２２をウィンドウ２２Ｂと記載する場合がある。制御部１０は、ウィンドウ２２Ｂのサイズが、ウィンドウ２２Ａのサイズより大きくなるように、表示部２０を制御する。すなわち、ウィンドウ２２Ｂのサイズは、ウィンドウ２２Ａのサイズより大きい。表示部２０は、フォルダの名称が「カレンダー」であるフォルダに対応付けられている６個の第２アイコン２２０のうち、全ての第２アイコン２２０が含まれるようにウィンドウ２２Ｂを表示している。
【００２１】
タッチパネル３０は、第１アイコン２１に対する第３接触操作Ａ３を検出する。第１アイコン２１に対する第３接触操作Ａ３は、第１アイコン２１を被検出物が接触して第１アイコン２１から被検出物が離間すること、及び第１アイコン２１を始点として被検出物が表示部２０上を第２方向に移動することを含む。第２方向は、第１方向と異なる。本実施形態において、第２方向は、Ｙ軸の負方向である。第３接触操作Ａ３の開始位置Ｐ１は、表示部２０上のうち第１アイコン２１に対応する領域内に位置する。第３接触操作Ａ３は、第１接触操作Ａ１及び第２接触操作Ａ２と異なる。また、第３接触操作Ａ３は、例えば、フリック操作、スライド操作、スクロール操作、又はスワイプ操作である。
【００２２】
制御部１０は、第１アイコン２１に対する第３接触操作Ａ３の検出に応答して、図２（ｃ）に示すウィンドウ２２を表示部２０に表示させる。以下、第３接触操作Ａ３の検出に応答して表示されるウィンドウ２２をウィンドウ２２Ｃと記載する場合がある。制御部１０は、ウィンドウ２２Ｃのサイズが、ウィンドウ２２Ａのサイズより小さくなるように、表示部２０を制御する。すなわち、ウィンドウ２２Ｃのサイズは、ウィンドウ２２Ａのサイズより小さい。また、ウィンドウ２２Ｃのサイズは、ウィンドウ２２Ｂのサイズより小さい。表示部２０は、フォルダの名称が「カレンダー」であるフォルダに対応付けられている６個の第２アイコン２２０のうち、４個の第２アイコン２２０が含まれるようにウィンドウ２２Ａを表示している。
【００２３】
以上、図１及び図２を参照して説明したように、本実施形態によれば、第２接触操作Ａ２の検出に応答して表示されるウィンドウ２２Ｂのサイズが、第１接触操作Ａ１の検出に応答して表示されるウィンドウ２２Ａのサイズより大きくなるように表示部２０が制御される。従って、表示装置１のユーザーは、第１アイコン２１を接触した後に、表示部２０上で被検出物を第１方向に移動させるだけで、既定のサイズより大きいサイズでウィンドウ２２Ｂを表示部２０に表示させることができる。その結果、ウィンドウ２２のサイズを設定しつつ表示部２０にウィンドウ２２を表示させることができるため、表示部２０にウィンドウ２２を表示させるときのユーザーの負担を軽減できる。
【００２４】
また、本実施形態によれば、ウィンドウ２２Ｂのサイズは、ウィンドウ２２Ａのサイズより大きい。従って、ウィンドウ２２Ｂを表示部２０に表示させることによって、表示部２０がウィンドウ２２Ａを表示するときに表示される第２アイコン２２０よりも、多くの第２アイコン２２０を同時に視認できる。その結果、表示部２０にウィンドウ２２を表示させるときのユーザーの負担を軽減させつつ、第２アイコン２２０の視認性の低下を抑制できる。
【００２５】
さらに、本実施形態によれば、第３接触操作Ａ３の検出に応答して表示されるウィンドウ２２Ｃのサイズが、第１接触操作Ａ１の検出に応答して表示されるウィンドウ２２Ａのサイズより小さくなるように表示部２０が制御される。従って、表示装置１のユーザーは、被検出物を第２方向に移動させるだけで、既定のサイズより小さいサイズでウィンドウ２２Ｂを表示部２０に表示させることができる。その結果、表示部２０にウィンドウ２２を表示させるときのユーザーの負担を軽減できる。
【００２６】
さらに、本実施形態によれば、ウィンドウ２２Ｃのサイズは、ウィンドウ２２Ａのサイズより小さい。従って、ウィンドウ２２Ｃを表示部２０に表示させることによって、表示部２０にウィンドウ２２Ａを表示させるときよりも、ウィンドウ２２Ｃによる表示部２０の表示領域の占有を軽減できる。その結果、表示部２０の視認性の低下を抑制できる。
【００２７】
次に、図１〜図３を参照して表示装置１が実行するウィンドウ表示方法について説明する。図３は、表示装置１が実行するウィンドウ表示方法を示すフローチャートである。表示装置１は、ステップＳ１０〜ステップＳ４０を実行することによってウィンドウ２２を表示部２０に表示させる。
【００２８】
ステップＳ１０において、表示部２０は、第１アイコン２１を表示する。ステップＳ２０において、タッチパネル３０は、第１アイコン２１に対する第１接触操作Ａ１、第２接触操作Ａ２又は第３接触操作Ａ３を検出する。第２接触操作Ａ２は、第１接触操作Ａ１と異なる。また、第３接触操作Ａ３は、第１接触操作Ａ１と異なる。さらに、第２接触操作Ａ２は、第３接触操作Ａ３と異なる。制御部１０は、タッチパネル３０が第１接触操作Ａ１を検出したか否かを判定する。
【００２９】
ステップＳ２０において、制御部１０が肯定的判定（ＹＥＳ）をする場合、制御部１０は、タッチパネル３０が第１接触操作Ａ１を検出したと判定し、処理は、ステップＳ４０に進む。一方、ステップＳ２０において、制御部１０が否定的判定（ＮＯ）をする場合、処理は、ステップＳ３０に進む。ステップＳ３０において、制御部１０は、タッチパネル３０が第２接触操作Ａ２を検出したか否かを判定する。ステップＳ３０において、制御部１０が肯定的判定（ＹＥＳ）をする場合、制御部１０は、タッチパネル３０が第２接触操作Ａ２を検出したと判定し、処理は、ステップＳ４０に進む。一方、ステップＳ３０において、制御部１０が否定的判定（ＮＯ）をする場合、処理は、ステップＳ３５に進む。ステップＳ３５において、制御部１０は、タッチパネル３０が第３接触操作Ａ３を検出したと判定する。
【００３０】
ステップＳ４０において、制御部１０は、第１接触操作Ａ１、第２接触操作Ａ２及び第３接触操作Ａ３のうちのいずれかの検出に応答して、第１アイコン２１に対応づけられているウィンドウ２２を表示部２０に表示させる。具体的には、ステップＳ２０において第１接触操作Ａ１が検出されたと判定される場合、制御部１０は、ウィンドウ２２Ａを表示部２０に表示させる、また、ステップＳ３０において第２接触操作Ａ２が検出されたと判定される場合、制御部１０は、ウィンドウ２２Ｂを表示部２０に表示させる。さらに、ステップＳ３５において第３接触操作Ａ３が検出されたと判定される場合、制御部１０は、ウィンドウ２２Ｃを表示部２０に表示させる。ここで、第２接触操作Ａ２の検出に応答して表示されるときのウィンドウ２２Ｂのサイズは、第１接触操作Ａ１の検出に応答して表示されるときのウィンドウ２２Ａのサイズと異なる。また、第３接触操作Ａ３の検出に応答して表示されるときのウィンドウ２２Ｃのサイズは、第１接触操ウィンドウ２２Ａのサイズ、及びウィンドウ２２Ｂのサイズと異なる。
【００３１】
以上、図１〜図３を参照して説明したように、本実施形態によれば、第１アイコン２１に対する第１接触操作Ａ１、第２接触操作Ａ２又は第３接触操作Ａ３を切り替えることによって、表示部２０に表示させるウィンドウ２２のサイズを設定できる。その結果、ユーザーは、簡易な操作でウィンドウ２２のサイズを設定できるため、ウィンドウ２２を表示部２０に表示させるときのユーザーの負担を軽減できる。
【００３２】
次に、図１及び図４を参照して、表示装置１が実行する第２のウィンドウ表示制御について説明する。図４（ａ）〜図４（ｃ）は、表示装置１が実行する第２のウィンドウ表示制御を示す。
【００３３】
ウィンドウ２２は、第２アイコン２２０を示す記号２２１を含む。第１アイコン２１は、複数の領域を有する。複数の領域には、それぞれ、互いに異なるサイズ情報が対応づけられている。サイズ情報は、記号２２１のサイズを示す。制御部１０は、第１アイコン２１の複数の領域のうち、第２接触操作Ａ２の開始位置を含む領域に対応づけられているサイズ情報に基づいて、記号２２１のサイズを決定する。以下、具体例を挙げて説明する。
【００３４】
図４（ａ）に示すように、第１アイコン２１が有する複数の領域は、第１領域Ｒ１と第２領域Ｒ２と第３領域Ｒ３とを含む。第１領域Ｒ１は、第３領域Ｒ３に隣接するように配置される。第２領域Ｒ２は、第３領域Ｒ３に隣接するように配置される。第３領域Ｒ３は、第１領域Ｒ１と第２領域Ｒ２との間に配置される。第１領域Ｒ１、第２領域Ｒ２及び第３領域Ｒ３には、それぞれ互いに異なるサイズ情報が対応付けられている。
【００３５】
制御部１０は、第１接触操作Ａ１の検出に応答して、図４（ａ）に示すウィンドウ２２を表示部２０に表示させる。以下、第１接触操作Ａ１の検出に応答して表示されるウィンドウ２２をウィンドウ２２Ｄと記載する場合がある。ウィンドウ２２Ｄのサイズは、既定のサイズである。また、ウィンドウ２２Ｄに含まれる記号２２１のサイズは、予め定められた既定のサイズである。以下、ウィンドウ２２Ｄに含まれる記号２２１を記号２２１ｄと記載する場合がある。
【００３６】
制御部１０は、第１領域Ｒ１内を開始位置Ｐ４とする第２接触操作Ａ２の検出に応答して、図４（ｂ）に示すウィンドウ２２を表示部２０に表示させる。以下、第１領域Ｒ１内を開始位置Ｐ４とする第２接触操作Ａ２の検出に応答して表示されるウィンドウ２２をウィンドウ２２Ｅと記載する場合がある。制御部１０は、第１領域Ｒ１に対応づけられているサイズ情報に基づいて、ウィンドウ２２Ｅに含まれる記号２２１のサイズを決定する。以下、ウィンドウ２２Ｅに含まれる記号２２１を記号２２１ｅと記載する場合がある。
【００３７】
第１領域Ｒ１に対応づけられたサイズ情報が示すサイズは、記号２２１ｄのサイズより小さい。すなわち、ウィンドウ２２Ｅに含まれる記号２２１ｅのサイズは、ウィンドウ２２Ｄに含まれる記号２２１ｄのサイズより小さい。
【００３８】
制御部１０は、第２領域Ｒ２内を開始位置Ｐ７とする第２接触操作Ａ２の検出に応答して、図４（ｃ）に示すウィンドウ２２を表示部２０に表示させる。以下、第２領域Ｒ２内を開始位置Ｐ７とする第２接触操作Ａ２の検出に応答して表示されるウィンドウ２２をウィンドウ２２Ｆと記載する場合がある。制御部１０は、第２領域Ｒ２に対応づけられているサイズ情報に基づいて、ウィンドウ２２Ｆに含まれる記号２２１のサイズを決定する。以下、ウィンドウ２２Ｆに含まれる記号２２１を記号２２１ｆと記載する場合がある。
【００３９】
第２領域Ｒ２に対応づけられたサイズ情報が示すサイズは、記号２２１ｄのサイズより大きい。すなわち、ウィンドウ２２Ｆに含まれる記号２２１ｆのサイズは、ウィンドウ２２Ｄに含まれる記号２２１ｄのサイズより大きい。また、記号２２１ｆのサイズは、ウィンドウ２２Ｅに含まれる記号２２１ｅのサイズより大きい。
【００４０】
ここで、第３領域Ｒ３に対応づけられたサイズ情報が示すサイズは、既定のサイズである。従って、制御部１０は、第３領域Ｒ３内を開始位置Ｐ６とする第２接触操作Ａ２の検出に応答して、第１ウィンドウ２２のサイズより大きいサイズのウィンドウ２２を表示部２０に表示させる。そして、ウィンドウ２２に含まれる記号２２１のサイズは、既定のサイズである。
【００４１】
以上、図１及び図４を参照して説明したように、本実施形態によれば、第１アイコン２１が有する複数の領域のうち、第２接触操作Ａ２の開始位置を含む領域に対応づけられているサイズ情報に基づいて、記号２２１のサイズが決定される。従って、表示装置１のユーザーは、第１アイコン２１を接触する開始位置を変更するだけで、ウィンドウ２２に含まれる記号２２１のサイズを設定できる。その結果、ウィンドウ２２に含まれる記号２２１のサイズを設定しつつ、ウィンドウ２２を表示部２０に表示させるため、ウィンドウ２２を表示部２０に表示させるときのユーザーの負担を軽減できる。
【００４２】
また、本実施形態によれば、第１領域Ｒ１に対応付けられたサイズ情報が示す記号２２１ｅのサイズは、ウィンドウ２２Ｄに含まれる記号２２１ｄのサイズより小さい。従って、表示装置１のユーザーは、第１アイコン２１の第１領域Ｒ１内を開始位置Ｐ１として表示部２０上を接触するだけで、記号２２１ｅを規定のサイズより小さく表示させることができる。その結果、既定のサイズで記号２２１が表示部２０に表示される場合より、多くの記号２２１ｅを同時に視認することができる。
【００４３】
さらに、本実施形態によれば、第２領域Ｒ２に対応づけられたサイズ情報が示す記号２２１ｆのサイズは、ウィンドウ２２Ｄに含まれる記号２２１ｄのサイズより大きい。従って、表示装置１のユーザーは、第１アイコン２１の第２領域Ｒ２内を開始位置Ｐ７として表示部２０上を接触するだけで、記号２２１ｆのサイズを規定のサイズより大きく表示させることができる。その結果、既定のサイズで記号２２１が表示部２０に表示される場合より、記号２２１ｆの視認性を向上させることができる。
【００４４】
さらに、本実施形態によれば、第３領域Ｒ３に対応づけられた記号２２１のサイズは、既定のサイズである。従って、表示装置１のユーザーは、第１アイコン２１の第３領域Ｒ３内を開始位置Ｐ６として表示部２０上を接触するだけで、記号２２１のサイズを変えず、ウィンドウ２２を大きく表示部２０に表示させることができる。
【００４５】
次に、図１及び図５を参照して、表示装置１が実行する第３のウィンドウ表示制御について説明する。図５（ａ）〜図５（ｃ）は、表示装置１が実行する第３のウィンドウ表示制御を示す。
【００４６】
本実施形態において、表示部２０は、複数の第１アイコン２１を表示する。以下、複数の第１アイコン２１のうち、「カレンダー」を示す記号を含む第１アイコン２１を、第１アイコン２１Ａと記載する場合がある。また、複数の第１アイコン２１のうち、「発注書」を示す記号を含む第１アイコン２１を、第１アイコン２１Ｂと記載する場合がある。さらに、複数の第１アイコン２１のうち、「議事録」を示す記号を含む第１アイコン２１を、第１アイコン２１Ｃと記載する場合がある。
【００４７】
第１アイコン２１Ａには、フォルダの名称が「カレンダー」であるフォルダが対応づけられている。フォルダの名称が「カレンダー」であるフォルダには、５個の第２アイコン２２２が対応付けられている。以下、フォルダの名称が「カレンダー」であるフォルダに対応付けられた第２アイコン２２２を第２アイコン２２２ｇと記載する場合がある。すなわち、第１アイコン２１Ａには、５個の第２アイコン２２２ｇが対応づけられている。
【００４８】
第１アイコン２１Ｂには、フォルダの名称が「発注書」であるフォルダが対応づけられている。フォルダの名称が「発注書」であるフォルダには、６個の第２アイコン２２２が対応付けられている。以下、フォルダの名称が「発注書」であるフォルダに対応付けられた第２アイコン２２２を第２アイコン２２２ｈと記載する場合がある。すなわち、第１アイコン２１Ｂには、６個の第２アイコン２２２ｈが対応づけられている。
【００４９】
第１アイコン２１Ｃには、フォルダの名称が「議事録」であるフォルダが対応づけられている。フォルダの名称が「議事録」であるフォルダには、３個の第２アイコン２２２が対応付けられている。以下、フォルダの名称が「議事録」であるフォルダに対応付けられた第２アイコン２２２を第２アイコン２２２ｉと記載する場合がある。すなわち、第１アイコン２１Ｃには、３個の第２アイコン２２２ｉが対応づけられている。
【００５０】
制御部１０は、第１アイコン２１に対する第１接触操作Ａ１の検出に応答して、ウィンドウ２２のサイズを第２アイコン２２２の数に基づいて決定する。制御部１０は、例えば、第２アイコン２２２の数に対応するサイズ情報を制御部１０のメモリーに記憶させておく。具体的には、制御部１０は、第２アイコン２２２の数が少ない程、小さいサイズを示すサイズ情報を対応づけて表示装置１に記憶させる。
【００５１】
具体的には、制御部１０は、第１アイコン２１Ａに対する第１接触操作Ａ１の検出に応答して、ウィンドウ２２Ｇの大きさを第２アイコン２２２ｇの数に基づいて決定する。また、制御部１０は、第１アイコン２１Ｂに対する第１接触操作Ａ１の検出に応答して、ウィンドウ２２Ｈの大きさを第２アイコン２２２ｈの数に基づいて決定する。第１アイコン２１Ｃに対する第１接触操作Ａ１の検出に応答して、ウィンドウ２２Ｉの大きさを第２アイコン２２２ｉの数に基づいて決定する。
【００５２】
本実施形態において、第１アイコン２１Ａに対応づけられている第２アイコン２２２ｇの数より、第１アイコン２１Ｂに対応付けられている第２アイコン２２２ｈの数の方が多い。従って、ウィンドウ２２Ｇのサイズは、ウィンドウ２２Ｈのサイズより小さい。また、第１アイコン２１Ａに対応付けられている第２アイコン２２２ｇの数より、第１アイコン２１Ｃに対応付けられている第２アイコン２２２ｉの数の方が少ない。従って、ウィンドウ２２Ｇのサイズは、ウィンドウ２２Ｉのサイズより大きい。
【００５３】
以上、図１及び図５を参照して説明したように、本実施形態によれば、制御部１０は、第１接触操作Ａ１の検出に応答して、フォルダに対応するウィンドウ２２のサイズを第２アイコン２２２の数に基づいて決定する。従って、フォルダに対応づけられた第２アイコン２２２の数をユーザーが把握していない場合であっても、第２アイコン２２２の数に応じたサイズで表示部２０にウィンドウ２２を表示させることができる。その結果、ウィンドウ２２を表示部２０に表示させるときのユーザーの負担をさらに軽減できる。
【００５４】
次に、図１、図２及び図６を参照して表示装置１が実行する第４のウィンドウ表示制御について説明する。図６は、表示部２０が表示する第１の設定画面を示す。第１アイコン２１には、アプリケーションソフトウェアが対応づけられている場合がある。アプリケーションソフトウェアとは、例えばコンピューターが実行するアプリケーションプログラムである。アプリケーションソフトウェアは、例えば、表計算ソフトウェア、ドキュメントソフトウェア、又は文書作成ソフトウェアである。アプリケーションソフトウェアには、ウィンドウ２２のサイズ情報が対応づけられている。制御部１０は、第１接触操作Ａ１の検出に応答して、アプリケーションソフトウェアに対応するウィンドウ２２のサイズをアプリケーションソフトウェアに対応するサイズ情報に基づいて決定する。以下、具体例をあげて説明する。
【００５５】
図６に示すように、第１の設定画面は、複数のボタン４１〜５２を含む。ボタン４１、ボタン４２、及びボタン４３のうちいずれかが選択されることによって、表計算ソフトウェアに対応付けられるウィンドウ２２のサイズ情報が設定される。具体的には、ボタン４１が選択されることによって、表計算ソフトウェアには、ウィンドウ２２が表示部２０に全画面表示されるサイズ情報が対応づけられる。また、ボタン４２が選択されることによって、表計算ソフトウェアには、ウィンドウ２２が表示部２０に既定のサイズで表示されるサイズ情報が対応づけられる。また、ボタン４３が選択されることによって、表計算ソフトウェアには、ウィンドウ２２が表示部２０に既定サイズより小さいサイズで表示されるサイズ情報が対応付けられる。
【００５６】
ドキュメントソフトウェアは、表計算ソフトウェアと同様に、ボタン４４、ボタン４５、及びボタン４６のうちのいずれかが選択されることによって、ドキュメントソフトウェアに対応付けられるウィンドウ２２のサイズ情報が設定される。また、文書作成ソフトウェアは、表計算ソフトウェアと同様に、ボタン４７、ボタン４８、及びボタン４９のうちのいずれかが選択されることによって、文書作成ソフトウェアに対応付けられるウィンドウ２２のサイズ情報が設定される。
【００５７】
また、第１設定画面では、第１アイコン２１に対応づけられているフォルダに対応するウィンドウ２２のサイズ情報を設定することもできる。フォルダに対応するウィンドウ２２を表示するときには、表計算ソフトウェアと同様に、ボタン５０、ボタン５１、及びボタン５２のうちのいずれかが選択されることによって、フォルダに対応するウィンドウ２２のサイズ情報が設定される。
【００５８】
以上、図１、図２及び図６を参照して説明したように、本実施形態によれば、制御部１０は、第１接触操作Ａ１の検出に応答して、アプリケーションソフトウェアに対応するウィンドウ２２のサイズをサイズ情報に基づいて決定する。従って、ユーザーは、表示部２０に表示されるウィンドウ２２の既定のサイズを予め設定できる。その結果、ユーザーの利便性が向上する。
【００５９】
また、本実施形態によれば、第１接触操作Ａ１に応じて、アプリケーションソフトウェアに対応付けられているサイズ情報に基づいてウィンドウ２２が表示部２０に表示され、第２接触操作Ａ２または第３接触操作Ａ３に応じて、ウィンドウ２２のサイズを変更してウィンドウ２２が表示される。従って、ユーザーは、第１アイコン２１に対する第１接触操作Ａ１、第２接触操作Ａ２または第３接触操作Ａ３を切り替えることによって、表示部２０に表示させるウィンドウ２２のサイズを設定できる。その結果、ユーザーは、簡易な操作でウィンドウ２２のサイズを設定でき、ウィンドウ２２を表示部２０に表示させるときのユーザーの負担を軽減できる。
【００６０】
次に、図１、図２、及び図４〜図７を参照して、表示装置１が実行するウィンドウ表示制御のモードについて説明する。図７は、表示部２０が表示する第２の設定画面を示す。図７に示すように、表示部２０は、第２の設定画面を表示する。第２の設定画面は、複数のボタン３１〜３８を含む。制御部１０は、ボタン３１が接触されることによって、第１のウィンドウ表示制御をオンにする。具体的には、制御部１０は、ボタン３１が選択されることによって、第２接触操作Ａ２及び第３接触操作Ａ３のうちのいずれかの検出によるウィンドウ２２の表示サイズ変更モードをオンにする。すなわち、制御部１０は、ボタン３１が選択されることによって、第２接触操作Ａ２及び第３接触操作Ａ３のうちのいずれかの検出応答して表示されるウィンドウ２２のサイズが、第１接触操作Ａ１の検出に応答して表示されるウィンドウ２２のサイズと異なるように、制御部１０は表示部２０を制御する。また、制御部１０は、ボタン３２が接触されることによって、第１のウィンドウ表示制御をオフにする。第１のウィンドウ表示制御がオフである場合、第２接触操作Ａ２又は第３接触操作Ａ３のうちいずれかの検出に応答して、ウィンドウ２２のサイズが第１接触操作Ａ１の検出に応答して表示されるウィンドウ２２のサイズと等しくなるように、制御部１０は表示部２０を制御する。
【００６１】
また、制御部１０は、ボタン３３が接触されることによって、第２のウィンドウ表示制御をオンにする。具体的には、制御部１０は、ボタン３３が選択されることによって、第２接触操作Ａ２又は第３接触操作Ａ３の開始位置による記号２２１の表示サイズ変更モードをオンにする。すなわち、制御部１０は、ボタン３３が選択されることによって、第１アイコン２１の複数の領域のうち、第２接触操作Ａ２又は第３接触操作Ａ３の開始位置を含む領域に対応づけられているサイズ情報に基づいて、記号２２１のサイズを決定する。また、制御部１０は、ボタン３４が接触されることによって、第２のウィンドウ表示制御をオフにする。第２のウィンドウ表示制御がオフである場合、第２接触操作Ａ２又は第３接触操作Ａ３のうちいずれかの検出に応答して、既定のサイズの記号２２１がウィンドウ２２に含まれるように、制御部１０は表示部２０を制御する。
【００６２】
さらに、制御部１０は、ボタン３５が接触されることによって、第３のウィンドウ表示制御をオンにする。具体的には、制御部１０は、ボタン３５が選択されることによって、第１接触操作Ａ１の検出による、対応付けられたファイル数に応じたウィンドウ２２の表示サイズ変更モードをオンにする。すなわち、制御部１０は、第１接触操作Ａ１の検出に応答して、フォルダに対応するウィンドウ２２のサイズを第２アイコン２２２の数に基づいて決定する。また、制御部１０は、ボタン３６が接触されることによって、第３のウィンドウ表示制御をオフにする。第３のウィンドウ表示制御がオフである場合、第１接触操作Ａ１の検出に応答して、制御部１０は、既定のサイズのウィンドウ２２を表示部２０に表示させる。
【００６３】
さらに、制御部１０は、ボタン３７が接触されることによって、第４のウィンドウ表示制御をオンにする。具体的には、制御部１０は、ボタン３７が選択されることによって、アプリケーションソフトウェアに対応づけられたサイズ情報に基づくウィンドウ２２の表示サイズ変更モードをオンにする。すなわち、制御部１０は、第１接触操作Ａ１の検出に応答して、アプリケーションソフトウェアに対応するウィンドウ２２のサイズをサイズ情報に基づいて決定する。また、制御部１０は、ボタン３８が接触されることによって、第４のウィンドウ表示制御をオフにする。第４のウィンドウ表示制御がオフである場合、第１接触操作Ａ１の検出に応答して、制御部１０は、アプリケーションソフトウェアに関わらず、ウィンドウ２２を規定のサイズで表示部２０に表示させる。
【００６４】
以上、図１、図２、及び図４〜図７を参照して説明したように、本実施形態によれば、サイズ変更モードのオン又はオフを設定できる。従って、ウィンドウ２２を表示部２０に表示させるときのユーザーの負担を軽減できる。
【００６５】
以上、図面（図１〜図７）を参照しながら本発明の実施形態について説明した。但し、本発明は、上記の実施形態に限られるものではなく、その要旨を逸脱しない範囲で種々の態様において実施することが可能である（例えば、下記に示す（１）〜（３））。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の形状、寸法等は一例であって、特に限定されるものではなく、本発明の効果から実質的に逸脱しない範囲で種々の変更が可能である。
【００６６】
（１）図１及び図４を参照して説明したように、第２接触操作Ａ２の開始位置を含む領域に対応づけられているサイズ情報に基づいて、記号２２１のサイズが決定された。ただし、制御部１０は、第３接触操作Ａ３の開始位置を含む領域に対応づけられているサイズ情報に基づいて、記号２２１のサイズを決定してもよい。この場合、第１接触操作Ａ１の検出に応答して表示されるウィンドウ２２のサイズより小さいサイズでウィンドウ２２を表示し、第３接触操作Ａ３の開始位置を含む領域に対応づけられているサイズ情報に基づいて、記号２２１のサイズを決定する。例えば、第３接触操作Ａ３の開始位置が第１領域Ｒ１に含まれている場合、第３接触操作Ａ３の検出に応答して表示されるウィンドウ２２のサイズが、第１接触操作Ａ１の検出に応答して表示されるウィンドウ２２のサイズより小さくなるように、制御部１０は表示部２０を制御し、ウィンドウ２２に含まれる記号２２１のサイズは、第１領域Ｒ１に対応づけられたサイズ情報に基づいて決定される。
【００６７】
（２）図１及び図５を参照して説明したように、制御部１０は、第１アイコン２１に対する第１接触操作Ａ１の検出に応答して、メモリーに記憶されたサイズ情報及び第２アイコン２２２の数に基づいてウィンドウ２２の大きさを決定した。ただし、制御部１０は、ウィンドウ２２を拡大又はスクロールさせることなく全ての第２アイコン２２０を同時に視認できるサイズでウィンドウ２２を表示部２０に表示させてもよい。このとき、制御部１０は、ウィンドウ２２のサイズがより小さくなるように表示部２０を制御してもよい。
【００６８】
（３）図１及び図２を参照して説明したように、制御部１０は、第１接触操作Ａ１、第２接触操作Ａ２及び第３接触操作Ａ３のうちいずれかの検出に応答して、ウィンドウ２２のサイズを設定しつつウィンドウ２２を表示部２０に表示させた。ただし、表示部２０がウィンドウ２２を表示した後に、タッチパネル３０がウィンドウ２２に対する第４接触操作を検出することに応答して、ウィンドウ２２のサイズを変更するように、制御部１０は表示部２０を制御してもよい。第４接触操作は、被検出物が表示部２０に表示されたウィンドウ２２を所定時間以上連続して接触し、さらに被検出物が表示部２０上を移動することを含む。具体的には、表示部２０に表示されたウィンドウ２２が被検出物によって長押しされた後に、被検出物が表示部２０上をドラッグ操作することによって、制御部１０は、ウィンドウ２２のサイズをドラッグ操作に応じて変更するように表示部２０を制御してもよい。
【産業上の利用可能性】
【００６９】
本発明は、表示装置及び表示方法に関するものであり、産業上の利用可能性を有する。
【符号の説明】
【００７０】
１      表示装置
１０    制御部
２０    表示部
２１    第１アイコン
２２２  第２アイコン
２２    ウィンドウ
２３    第３画像
３０    タッチパネル
Ａ１    第１接触操作
Ａ２    第２接触操作
Ａ３    第３接触操作
Ｒ１    第１領域
Ｒ２    第２領域
Ｐ１    開始位置
【図１】
0006540603.tif 000002
【図２】
0006540603.tif 000003
【図３】
0006540603.tif 000004
【図４】
0006540603.tif 000005
【図５】
0006540603.tif 000006
【図６】
0006540603.tif 000007
【図７】
0006540603.tif 000008